(57)【要約】【課題】  映像音声信号を記録する際、カートリッジ単体で、圧縮レートに対応した残量時間表示を行うことができるディスクカートリッジを提供する。【解決手段】  ディスクを内部に収納するカートリッジ１と、ディスク記録装置で前記ディスクに記録して前記カートリッジを排出する際に前記ディスクの記録可能な残量容量を前記ディスク記録装置から入力可能な入力部４と、前記入力部で入力した前記残量容量を記憶する記憶部６と、前記記憶部に記憶された前記ディスクの記録可能な残量容量を表示する表示部２と、を備えたディスクカートリッジにおいて、前記記憶部に記憶された前記残量容量を、前記ディスクに記録する映像音声信号の記録予定の圧縮率に応じた残量時間に変換する変換部８と、前記変換部で変換された前記残量時間を前記表示部に表示させる制御部９と、を備えている。【選択図】図２
2006147065.tif 000002
【特許請求の範囲】
【請求項１】
ディスクを内部に収納するカートリッジと、ディスク記録装置で前記ディスクに記録して前記カートリッジを排出する際に前記ディスクの記録可能な残量容量を前記ディスク記録装置から入力可能な入力部と、前記入力部で入力した前記残量容量を記憶する記憶部と、前記記憶部に記憶された前記ディスクの記録可能な残量容量を表示する表示部と、を備えたディスクカートリッジにおいて、
前記記憶部に記憶された前記残量容量を、前記ディスクに記録する映像音声信号の記録予定の圧縮率に応じた残量時間に変換する変換部と、
前記変換部で変換された前記残量時間を前記表示部に表示させる制御部と、
を備えたことを特徴とするディスクカートリッジ。
【発明の詳細な説明】
【技術分野】
【０００１】
本発明は、光ディスクに映像音声信号を記録する際の記録可能な残量時間を圧縮レートに対応して表示できるディスクカートリッジに関する。
【背景技術】
【０００２】
従来のディスクカートリッジには、特許文献１に記載されているものがある。
特許文献１には、前記ディスクに書き込み可能な記録容量を格納するＲＯＭと、ディスクの記録容量を示す残量表示部と、前記ＲＯＭに格納された記録容量を前記残量表示部に表示させる制御回路と、前記ＲＯＭ、前記残量表示部及び前記制御回路に電力を供給する電池と、からなり、前記ディスクに書き込んだ後、パソコン本体でディスクに記録可能な記録容量を読み取り、次に、前記ＲＯＭに書き込み、更に前記残量表示部に前記記録可能な記録容量を表示させることによって、ディスク記録装置がなくても、前記ディスクに書き込める精確な残量を知ることができることが記載されている。
【特許文献１】特開平９−１７１５４号公報（第２頁、第１−２図）
【発明の開示】
【発明が解決しようとする課題】
【０００３】
しかしながら、前記ディスクに書き込める記録容量しか表示されないため、圧縮した画像を記録しようとする場合や圧縮無しで画像を記録しようとする場合に、圧縮の有無また圧縮レートによって記録できる時間が異なり、前記ディスクに完全に記録できるかどうかが正確には把握できなかった。
【０００４】
そこで、本発明は、前述の課題に鑑みて提案されるものであって、圧縮レートに対応した残量時間の表示を行うことができるディスクカートリッジを提供することを目的とする。
【課題を解決するための手段】
【０００５】
本発明は、ディスクを内部に収納するカートリッジ（ディスクカートリッジ１）と、ディスク記録装置で前記ディスクに記録して前記カートリッジを排出する際に前記ディスクの記録可能な残量容量を前記ディスク記録装置から入力可能な入力部（インターフェース４）と、前記入力部で入力した前記残量容量を記憶する記憶部（不揮発性メモリ６）と、前記記憶部に記憶された前記ディスクの記録可能な残量容量を表示する表示部（表示部２）と、を備えたディスクカートリッジにおいて、前記記憶部に記憶された前記残量容量を、前記ディスクに記録する映像音声信号の記録予定の圧縮率に応じた残量時間に変換する変換部（容量・時間変換部８）と、前記変換部で変換された前記残量時間を前記表示部に表示させる制御部（制御部９）と、を備えたことを特徴とするディスクカートリッジを提供する。
【発明の効果】
【０００６】
本発明によれば、前記記憶部に記憶された前記残量容量を前記ディスクに記録する映像音声信号の記録予定の圧縮率に応じた残量時間に変換する変換部と、前記変換部で変換された前記残量時間を前記表示部に表示させる制御部と、を備えているので、ディスクカートリッジ単体で圧縮レートに対応した残量時間の表示を行うことができる。
【発明を実施するための最良の形態】
【０００７】
以下、本発明の実施の形態に係るディスクカートリッジについて、図１〜図４を参照して詳細に説明する。
図１は、本発明の実施の形態に係るディスクカートリッジを示す平面図である。図２は、本発明の実施形態に係わるディスク記録装置とディスクカートリッジの構成を示す図である。図３は、本発明の実施形態に係わるディスク記録装置により、ディスクに記録可能な残り容量を検出して不揮発性メモリに書き込むまでのフローチャートである。図４は、本発明の実施形態に係わるディスクカートリッジにより、記録可能残り容量を時間に変換して表示部に表示するフローチャートである。
【実施例１】
【０００８】
本発明の実施の形態に係るディスクカートリッジ１は、図１に示すように、液晶による文字表示部２、押しボタンによるスイッチ３、ディスク記録装置と通信をするための入出力インターフェース４、電池５、不揮発性メモリ６、ディスクカートリッジ上で表示処理制御を行うＣＰＵ７を有する。またこれらの電源は電池５によりまかなわれ、不揮発性メモリは電源が供給されない状態でもメモリ内容保存維持するものである。
【０００９】
本発明の実施形態に係わるシステムは、図２に示すように、ディスク記録装置とディスクカートリッジにより構成され、ディスク記録装置は、光ディスクの記録残り容量をディスクカートリッジに転送し、ディスクカートリッジは、前記転送記録された残り容量を記録時間に変換して表示するものである。
【００１０】
前記ディスク記録装置は、ディスクカートリッジを排出する時、光ディスクの記録可能残り容量をインターフェースを通じてディスクカートリッジに転送する。ＣＰＵ１１は、残り容量検出部１２、残り容量転送部１３を有し、これを実行する。残り容量検出部１２は、光ディスクの所定のサイズより大きな記録可能領域を検出し、例えばＭＢを単位として、記録可能残り容量とする。ここで、所定のサイズとは、ディスクのシーク中に再生データが無くなって映像音声信号が途切れるようなことが起こらぬよう設定されたサイズで、一般的には記録された映像音声信号の最大記録レートに比例するものである。なお、記録可能領域が分離して複数ある場合はこれらの総和をとるものとする。また残り容量転送部１３は、ＣＰＵ１１からインターフェース（例えば、Ｉ２Ｃ：Inter Integrated Circuit）を通じて、ディスクカートリッジの不揮発性メモリ（例えば、シリアルＥＥＰＲＯＭ）に、記録可能残り容量を直接書き込むものとする。
【００１１】
ここで、前記ディスク残り容量検出、転送動作を、図３のディスク排出処理ルーチンのフローチャートに基づいて説明する。ユーザがディスク記録装置を使ってディスクの記録編集作業などを終え、エジェクトボタンを押すと、前記ディスク記録装置はディスク排出処理ルーチンにとび排出処理を行う。この排出処理ルーチンでは、まず前記残り容量検出部１２によりディスクから記録可能残り容量を取得する（ステップＳ１）。次に前記残り容量転送部１３により、ディスクの前記記録可能残り容量を不揮発性メモリへ書き込む（ステップＳ２）。そして通常のディスク排出処理を行ってディスクを排出する（ステップＳ３）。以上により、記録可能残り容量が記憶されたディスクカートリッジが得られる。
【００１２】
ディスクカートリッジは、カートリッジ単体で、記録可能残り容量を記録時間に変換して表示するもので、図２に示すように、ユーザの操作するボタンスイッチ３、記録可能残り容量が記憶された不揮発性メモリ６、表示部２および容量・時間変換部８、制御部９、メモリ部１０を有するＣＰＵ７より構成されている。制御部９は、ボタンスイッチ３、不揮発性メモリ６、表示部２の入出力を制御し、容量・時間変換部８は、ユーザの操作するボタンスイッチ３による圧縮レートに基づいて、不揮発性メモリに記憶されている残り容量を読み出して、時間に変換するものである。またメモリ部１０は、プログラム用ＲＯＭ、作業用ＲＡＭ、圧縮時の平均データレートの順番に並べた圧縮レートのリストが記憶されたＲＯＭより構成されている。
【００１３】
以下、前記ディスク残量時間への変換・表示動作を、図４に示す残量時間表示のフローチャートに基づいて説明する。
ユーザがディスク１上のボタンスイッチを押すと、ディスクカートリッジのシステムに電源が入り、残量時間表示ルーチンがスタートする。
まず不揮発性メモリより、前回表示して記憶された圧縮レートと残量時間を表示部に表示して（ステップＳ４）、ユーザがスイッチを離すのを待って（ステップＳ５）、一定期間スイッチＯＦＦの状態が続いたことを検出するＯＦＦカウンタ、およびスイッチが長押しされたか短押しされたかを検出するためのＯＮカウンタの初期値を設定する（ステップＳ６）。次にボタンスイッチが押されるのをチェックして（ステップＳ７）、前記一定期間（例えば２０秒）スイッチが押されなかったら（ステップＳ８、Ｓ９）、ユーザによる残り時間の表示確認は終了したものとして、電源を切って（ステップＳ１０）、全て終了する。
また前記一定期間内に、スイッチが押された場合は、現在表示中の圧縮レートとは異なるレートでの記録可能残量時間をユーザが要求しているとして、圧縮レート設定ルーチンに進む。すなわち、スイッチがＯＦＦするまで待って、スイッチが長押しされたか短押しされたかをチェックする（ステップＳ１１、Ｓ１２、Ｓ１３）。
長押しされた場合は、圧縮レートのリストから現在の圧縮レートから、１段だけ圧縮レートを下げる方向にずらし（ステップＳ１４）、短押しの場合は、圧縮レートが１段増えるようにずらし（ステップＳ１５）、新たな圧縮レートを選択して設定する。
次に、不揮発メモリから記録可能残り容量を取得し、前記設定された圧縮レートで計算しなおして、記録可能残量時間に変換し（ステップＳ１６）、前記圧縮レート、前記残量時間を不揮発性メモリに記憶して（ステップＳ１７）、ステップＳ４に戻り、圧縮レート、記録可能残量時間を表示する。
以上述べたようにユーザは、ボタンスイッチを押すだけで、圧縮レートと記録可能残量時間を表示できる。もし圧縮レートをいつもと変えて記録する場合は、ボタン操作により圧縮レートを選択して表示するものである。
【００１４】
以上のように、本発明によれば、上記した構成があるので、ディスクカートリッジ単体で圧縮レートに対応した残量時間の表示を行うことができる。
【図面の簡単な説明】
【００１５】
【図１】本発明の実施の形態に係るディスクカートリッジを示す平面図である。
【図２】本発明の実施形態に係わるディスク記録装置とディスクカートリッジの構成を示す図である。
【図３】本発明の実施形態に係わるディスク記録装置により、ディスクに記録可能な残り容量を検出して不揮発性メモリに書き込むまでのフローチャートである。
【図４】本発明の実施形態に係わるディスクカートリッジにより、記録可能残り容量を時間に変換して表示部に表示するフローチャートである。
【符号の説明】
【００１６】
１  ディスクカートリッジ、２  表示部、３  ボタンスイッチ、４  インターフェース、５  電池、６  不揮発性メモリ、７  ＣＰＵ、８、容量・時間変換部、９  制御部、１０  メモリ部、１１  ＣＰＵ、１２  記録残量検出部、１３  記録残量転送部、１４  メモリ部
【図１】
2006147065.tif 000003
【図２】
2006147065.tif 000004
【図３】
2006147065.tif 000005
【図４】
2006147065.tif 000006